【事件の表示】
　特願２０１８−１２７４８４「情報処理装置、情報処理システム、情報処理プログラムおよび情報処理方法」拒絶査定不服審判事件〔平成３０年　９月２７日出願公開、特開２０１８−１５２１３７、請求項の数（６）〕について、次のとおり審決する。
【結　論】
　原査定を取り消す。
　本願の発明は、特許すべきものとする。
【理　由】
第１　手続の経緯
　本願は、平成２６年１２月１５日に出願した特願２０１４−２５３２６１号の一部を平成３０年７月４日に新たな特許出願としたものであって、その手続の経緯は以下のとおりである。
　平成３１年　３月　６日付け：拒絶理由通知書
　令和　元年　５月３１日　　：意見書、手続補正書の提出
　令和　元年１０月２１日付け：拒絶査定（原査定）
　令和　２年　１月２９日　　：審判請求書、手続補正書の提出
　令和　２年１２月２２日付け：拒絶理由（当審拒絶理由）通知書
　令和　３年　３月　５日　　：意見書、手続補正書の提出
第２　原査定の概要
　原査定（令和元年１０月２１日付け拒絶査定）の概要は次のとおりである。
　本願請求項１ないし１０に係る発明は、以下の引用文献ＡないしＤに記載された発明に基いて、その発明の属する技術の分野における通常の知識を有する者（以下、「当業者」という。）が容易に発明をすることができたものであるから、特許法第２９条第２項の規定により特許を受けることができない。
［引用文献等一覧］
Ａ　特開平１１−０５３２３６号公報
Ｂ　特開２０１３−２２２３２４号公報（周知技術を示す文献）
Ｃ　特開２００１−２２８８４１号公報（周知技術を示す文献）
Ｄ　特開２０１３−０５８１２３号公報（周知技術を示す文献）
第３　当審拒絶理由の概要
　当審拒絶理由の概要は次のとおりである。
［理由１］明確性要件
　本願請求項１ないし８に係る発明は、以下の点において明確ではないから、特許法第３６条第６項第２号に規定する要件を満たしていない。
（１）請求項１，７及び８の記載において、「情報処理装置」の「送信手段」が「更新された自機属性情報の複製データを前記他の情報処理装置に同期させるよう送信する」旨の記載は、同期元と同期先の関係が判然とせず、明確ではない。
（２）請求項２の記載において、「情報処理装置」が、直接接続されていない「別の情報処理装置」に「複製データ」をどのように「送信」するのか明確ではない。
（３）請求項５の記載は、上流にある「情報処理装置」が下流にある「他の情報処理装置」から「複製データ」を受信するものであり、これとは逆方向に「複製データ」が送受信される、請求項５が間接的に引用する請求項２の記載と矛盾する。
［理由２］進歩性
　本願請求項１及び３ないし６に係る発明は、以下の引用文献１ないし６に記載された発明に基いて、当業者が容易に発明することができたものであるから、特許法第２９条第２項の規定により特許を受けることができない。
［引用文献等一覧］
１　特開平１１−５３２３６号公報（原査定の引用文献Ａ）
２　特開２０１３−２２２３２４号公報（周知技術を示す文献、原査定の引用文献Ｂ）
３　特開２００１−２２８８４１号公報（周知技術を示す文献、原査定の引用文献Ｃ）
４　特開２０１３−５８１２３号公報（周知技術を示す文献、原査定の引用文献Ｄ）
５　特開２００４−１２７００４号公報（周知技術を示す文献、当審において新たに提示する文献）
６　特開２００５−４４１５５号公報（周知技術を示す文献、当審において新たに提示する文献）
第４　本願発明
　本願請求項１ないし６に係る発明（以下、それぞれ「本願発明１」ないし「本願発明６」という。）は、令和３年３月５日に提出された手続補正書に係る手続補正（以下、「本件補正」という。）により補正された特許請求の範囲の請求項１ないし６に記載された事項により特定される発明であり、本願発明１ないし６は以下のとおりの発明である。
「　　【請求項１】
　他の情報処理装置と通信可能に接続された情報処理装置であって、
　タッチ入力を検出する入力検出手段と、
　前記タッチ入力に基づき画像を表示する表示手段と、
　前記画像の表示において設定された自機属性情報に基づき前記画像を表示する画像表示処理手段と、
　前記情報処理装置において前記自機属性情報の更新入力を受け付けた場合、前記自機属性情報を更新する属性情報更新手段と、
　前記自機属性情報を更新することに応じて、更新された自機属性情報の複製データに前記他の情報処理装置の他機属性情報を同期させるよう、前記更新された自機属性情報の複製データを前記他の情報処理装置に送信する送信手段と、
　前記他の情報処理装置から応答情報を受信する受信手段と、を備え、
　前記送信手段が、前記情報処理装置と前記他の情報処理装置と別の情報処理装置とがこの順にデイジーチェーン接続されている場合、前記受信手段が前記応答情報を受信した後、前記他の情報処理装置に前記別の情報処理装置宛の複製データを送信することにより、前記複製データは、前記他の情報処理装置を通過して、前記別の情報処理装置に送信される、
　ことを特徴とする情報処理装置。
　　【請求項２】
　前記タッチ入力に用いられる入力手段から識別情報を取得する識別情報取得手段と、
　前記識別情報が付加された自機属性情報を記憶する記憶手段と、
　をさらに備えることを特徴とする請求項１に記載の情報処理装置。
　　【請求項３】
　前記属性情報更新手段は、前記入力手段により前記自機属性情報を更新する入力指示を受け付けた場合、前記入力手段の識別情報が付加された自機属性情報を更新し、
　前記送信手段は、更新された前記識別情報が付加された自機属性情報の複製データを前記他の情報処理装置に送信することを特徴とする請求項２に記載の情報処理装置。
　　【請求項４】
　前記入力手段はタッチペンであって、
　前記タッチペンは、自身の識別情報を送信する送信手段を含み、
　前記識別情報取得手段は、前記タッチペンから送信された前記識別情報を受信することを特徴とする請求項２または３に記載の情報処理装置。
　　【請求項５】
　他の情報処理装置と通信可能に接続された情報処理装置によって実行される情報処理プログラムであって、
　タッチ入力を検出する入力検出ステップと、
　前記タッチ入力に基づき画像を表示する表示ステップと、
　前記画像の表示において設定された自機属性情報に基づき前記画像を表示する画像表示処理ステップと、
　前記情報処理装置において前記自機属性情報の更新入力を受け付けた場合、前記自機属性情報を更新する属性情報更新ステップと、
　前記自機属性情報を更新することに応じて、更新された自機属性情報の複製データを前記他の情報処理装置の他機属性情報を同期させるよう、前記更新された自機属性情報の複製データを前記他の情報処理装置に送信する送信ステップと、
　前記他の情報処理装置から応答情報を受信する受信ステップと、を実行させ、
　前記送信ステップにおいて、前記情報処理装置と前記他の情報処理装置と別の情報処理装置とがこの順にデイジーチェーン接続されている場合、前記受信ステップにおいて前記応答情報を受信した後、前記他の情報処理装置に前記別の情報処理装置宛の複製データを送信することにより、前記複製データは、前記他の情報処理装置を通過して、前記別の情報処理装置に送信される、
情報処理プログラム。
　　【請求項６】
　他の情報処理装置と通信可能に接続された情報処理装置の情報処理方法であって、
　タッチ入力を検出する入力検出ステップと、
　前記タッチ入力に基づき画像を表示する表示ステップと、
　前記画像の表示において設定された属性情報に基づき前記画像を表示する画像表示処理ステップと、
　前記情報処理装置において前記自機属性情報の更新入力を受け付けた場合、前記自機属性情報を更新する属性情報更新ステップと、
　前記自機属性情報を更新することに応じて、更新された自機属性情報の複製データを前記他の情報処理装置の他機属性情報を同期させるよう、前記更新された自機属性情報の複製データを前記他の情報処理装置に送信する送信ステップと、
　前記他の情報処理装置から応答情報を受信する受信ステップと、を含み、
前記送信ステップにおいて、前記情報処理装置と前記他の情報処理装置と別の情報処理装置とがこの順にデイジーチェーン接続されている場合、前記受信ステップにおいて前記応答情報を受信した後、前記他の情報処理装置に前記別の情報処理装置宛の複製データを送信することにより、前記複製データは、前記他の情報処理装置を通過して、前記別の情報処理装置に送信される、
ことを特徴とする情報処理方法。」
　なお、本願発明１は、本件補正前の請求項１に係る発明に本件補正前の請求項２に記載された事項を付加等したものに対応し、本願発明２、３及び４はそれぞれ、本件補正前の請求項３、４及び６に相当し、本願発明５及び６はそれぞれ、本件補正前の請求項７及び８に本件補正前の請求項２の内容を付加したものであって、かつ、本願発明１とはカテゴリ表現が異なるものであり、本件補正前の請求項１及び５は本件補正により削除されたと認められる。
第５　引用文献、引用発明等
１　引用文献１について
ア　引用文献１記載事項
　当審拒絶理由に引用された引用文献１（原査定の引用文献Ａ）には、図面とともに次の事項が記載されている。なお、下線は、強調のため当審が付与した。（以降においても同様。）
「【０００５】本発明は、このような実情を鑑みてなされたものであり、１のコンピュータ内でのデータの移動、又は、
複数のコンピュータ間でのデータの伝送を自然且つ簡便に行うユーザインターフェースを用いたデータ送信／受信／送受信装置、データ伝送システム、データ送信／受信／送受信／伝送方法、及び、データ送信／受信／送受信プログラム格納媒体
「【００４０】図１に示すように、本発明の実施の形態の
データ伝送システム１は、ネットワーク１０上に複数のコンピュータが接続され
【００４１】
各コンピュータ２０のディスプレイＤは、出力データの表示をするとともに、例えばペン型入力デバイスＰにより直接入力操作がされる入出力一体型のものである
「【００４４】各コンピュータ２０は、複数のペン型入力デバイスＰ（Ｐ１〜Ｐｎ）により操作入力がされる。
各ペン型入力デバイスＰ（Ｐ１〜Ｐｎ）は、各コンピュータ２０のディスプレイＤに対して共通に用いられ
各ペン型入力デバイスＰ（Ｐ１〜Ｐｎ）は、それぞれに異なるＩＤ番号が設定され
ペン型入力デバイスＰを用いて各コンピュータ２０のディスプレイＤに対し入力操作を行うと、このＩＤ番号を当該コンピュータ２０が認識する
【００４５】
各コンピュータ２０は、ネットワーク１０上に設けられた管理テーブル１０ａを共有し
管理テーブル１０ａは、ペン型入力デバイスＰのＩＤ番号に対応して設けられている
【００４６】このような
各コンピュータ２０は、
中央処理装置（ＣＰＵ）５１と、
メモリ５２と、
データ格納媒体５３と、
画面表示部５４と、入力されたペン型入力デバイスＰの入力位置を認識するペン位置認識部５５と、
ペン状態認識部５６と、入力されたペン型入力デバイスＰのＩＤ番号を認識するペンＩＤ認識部５７と、
ネットワーク接続部５８とを備え
「【００４９】ペン状態認識部５６は、操作入力されたペン型入力デバイスＰのディスプレイＤとの距離等を認識する。具体的には、図３（ａ）に示すようにペン型入力デバイスＰとディスプレイＤが接触しているか、図３（ｂ）に示すようにペン型入力デバイスＰとディスプレイＤが接触していないが接近しているか、また、図３（ｃ）に示すようにペン型入力デバイスＰがディスプレイＤから充分遠ざかっているかを認識する。
ＣＰＵ５１は、ペン状態認識部５６がペン型入力デバイスＰとディスプレイＤが接触していると認識する場合は、このときにペン型入力デバイスＰがアイコンを選択していればこのアイコンの配色を変えて表示する
このようなペン状態の認識は、例えば、手書き文字入力した際に文字の濃淡等を表せるペン型入力デバイスや、ペン型入力デバイスの入力圧力や距離等が検出できるタブレット等により実現でき
【００５０】
ペンＩＤ認識部５７は
ペン型入力デバイスＰのＩＤ番号
ペン型入力デバイスＰに固有のＩＤを定期的に発信する赤外線ダイオードＬＥＤや無線発信機、ワイヤレスタグ等を搭載し、ディスプレイＤ側に受信機ＲＣＶ等を設けることにより認識することができ
「【００９２】つぎに、
上述したデータ伝送システム１を応用した他の実施の形態
【００９３】この
他の実施の形態のデータ伝送システム１ａは、
壁面型ディスプレイ２５Ｄを有するメインコンピュータ２５と、ディスプレイ２６Ｄを有しユーザが片手で携帯できる程度の小型携帯端末２６とがネットワーク１０を介して接続され
ネットワーク１０上には、管理テーブル１０ａが
設けられている
…（中略）…
【００９５】また、
壁面型ディスプレイ２５Ｄには、ペン型入力デバイスＰの属性を変更するツールパレットＴが表示され
ツールパレットＴは、
描画入力をする際の線種，図形，線色等のオブジェクトが示されている
ユーザは、ペン型入力デバイスＰによりこのツールパレットＴのオブジェクトをピックし、ペン型入力デバイスＰの属性を変更して、壁面型ディスプレイ２５Ｄに対して描画入力等を行う
【００９６】小型携帯端末２６は、いわゆるＰＤＡ（Personal Digital Assistant）と呼ばれる個人用情報機器及び手帳型コンピュータ等である。この
小型携帯端末２６のディスプレイ２６Ｄ
このディスプレイＤには、上述したツールパレットＴと同様のオブジェクトが表示され
小型携帯端末２６は、このオブジェクトに応じたデータを格納しており、すなわち、ペン型入力デバイスＰの属性データを格納して
【００９７】このような
メインコンピュータ２５及び小型携帯端末２６は、図２に示した各コンピュータ２０の内部構成と同様の構成を有して
【００９８】このような構成のデータ伝送システム１ａの小型携帯端末２６とメインコンピュータ２５の間のデータの伝送方法について説明する。
【００９９】
まず、ユーザは、ペン型入力デバイスＰをディスプレイ２６Ｄ上のオブジェクトに接触させ一定時間内に持ち上げる
と、小型携帯端末２６は、このピックしたペン型入力デバイスＰのＩＤ番号を認識する
このＩＤ番号に対応したネットワーク１０上に設けられた管理テーブル１０ａにオブジェクトに対応する管理情報を登録する
この管理情報は、すなわち、ペン型入力デバイスＰの属性データであり、この属性データは、ペン型入力デバイスＰの属性に応じた情報である。このペン型入力デバイスの属性とは、
描画入力する際の線種，図形，線色等である。この状態において、ペン型入力デバイスＰは、属性が変更されている状態となっている
【０１００】
続いて、ペン型入力デバイスＰをメインコンピュータ２６の壁面型ディスプレイ２５Ｄに接触させる
とメインコンピュータ２５は、このドロップされたペン型入力デバイスＰのＩＤ番号を認識する
ネットワーク１０上に設けられた管理テーブル１０ａを参照し、このＩＤ番号に対応した管理情報が登録されているかどうかを確認する
登録されていると判断する場合は、この管理情報、すなわち、ペン型入力デバイスＰの属性データを取得する。そして、メインコンピュータ２５は、必要であれば、この管理情報に示されているコンピュータ、この場合は、小型携帯端末２６に対して、属性データの伝送要求をネットワーク１０を介して行う
【０１０１】
メインコンピュータ２６は、この属性データに基づきペン型入力デバイスＰの属性を変更し、ペン型入力デバイスＰの操作に応じた描画等の表示を行う
【０１０２】
以上のように、データ伝送システム１ａでは、
ツールパレットＴを用いて属性を変更しなければならない操作上のわずらわしさを解消することができる
　なお、上記の【０１００】及び【０１０１】において、「メインコンピュータ２６」は、「メインコンピュータ２５」の誤記と認められる。
「【図１５】
」
イ　引用発明
　前記アより、引用文献１には、次の発明（以下、「引用発明」という。）が記載されていると認められる。
「　複数のコンピュータ間でのデータの伝送を自然且つ簡便に行うユーザインターフェースを用いたデータ送信／受信／送受信装置、データ伝送システム、データ送信／受信／送受信／伝送方法、及び、データ送信／受信／送受信プログラム格納媒体であって、
　データ伝送システム１は、ネットワーク１０上に複数のコンピュータが接続され、各コンピュータ２０のディスプレイＤは、出力データの表示をするとともに、ペン型入力デバイスＰにより直接入力操作がされる入出力一体型のものであり、
　各ペン型入力デバイスＰ（Ｐ１〜Ｐｎ）は、各コンピュータ２０のディスプレイＤに対して共通に用いられ、各ペン型入力デバイスＰ（Ｐ１〜Ｐｎ）は、それぞれに異なるＩＤ番号が設定され、ペン型入力デバイスＰを用いて各コンピュータ２０のディスプレイＤに対し入力操作を行うと、このＩＤ番号を当該コンピュータ２０が認識し、
　各コンピュータ２０は、中央処理装置（ＣＰＵ）５１と、メモリ５２と、データ格納媒体５３と、画面表示部５４と、入力されたペン型入力デバイスＰの入力位置を認識するペン位置認識部５５と、ペン状態認識部５６と、入力されたペン型入力デバイスＰのＩＤ番号を認識するペンＩＤ認識部５７と、ネットワーク接続部５８とを備え、
　ＣＰＵ５１は、ペン状態認識部５６がペン型入力デバイスＰとディスプレイＤが接触していると認識する場合は、このときにペン型入力デバイスＰがアイコンを選択していればこのアイコンの配色を変えて表示し、このようなペン状態の認識は、例えば、手書き文字入力した際に文字の濃淡等を表せるペン型入力デバイスや、ペン型入力デバイスの入力圧力や距離等が検出できるタブレット等により実現でき、
　ペンＩＤ認識部５７は、ペン型入力デバイスＰのＩＤ番号を、ペン型入力デバイスＰに固有のＩＤを定期的に発信する赤外線ダイオードＬＥＤや無線発信機、ワイヤレスタグ等を搭載し、ディスプレイＤ側に受信機ＲＣＶ等を設けることにより認識することができ、
　上述したデータ伝送システム１を応用した他の実施の形態のデータ伝送システム１ａは、壁面型ディスプレイ２５Ｄを有するメインコンピュータ２５と、ディスプレイ２６Ｄを有しユーザが片手で携帯できる程度の小型携帯端末２６とがネットワーク１０を介して接続され、ネットワーク１０上には、管理テーブル１０ａが設けられ、
　壁面型ディスプレイ２５Ｄには、ペン型入力デバイスＰの属性を変更するツールパレットＴが表示され、ツールパレットＴは、例えば描画入力をする際の線種，図形，線色等のオブジェクトが示されており、ユーザは、ペン型入力デバイスＰによりこのツールパレットＴのオブジェクトをピックし、ペン型入力デバイスＰの属性を変更して、壁面型ディスプレイ２５Ｄに対して描画入力等を行い、
　小型携帯端末２６のディスプレイ２６Ｄには、上述したツールパレットＴと同様のオブジェクトが表示され、小型携帯端末２６は、このオブジェクトに応じたデータを格納しており、すなわち、ペン型入力デバイスＰの属性データを格納しており、
　メインコンピュータ２５及び小型携帯端末２６は、各コンピュータ２０の内部構成と同様の構成を有し、
　まず、ユーザは、ペン型入力デバイスＰをディスプレイ２６Ｄ上のオブジェクトに接触させ一定時間内に持ち上げると、小型携帯端末２６は、このピックしたペン型入力デバイスＰのＩＤ番号を認識し、このＩＤ番号に対応したネットワーク１０上に設けられた管理テーブル１０ａにオブジェクトに対応する管理情報を登録し、この管理情報は、すなわち、ペン型入力デバイスＰの属性データであり、この属性データは、ペン型入力デバイスＰの属性に応じた情報であり、このペン型入力デバイスの属性とは、描画入力する際の線種，図形，線色等であり、この状態において、ペン型入力デバイスＰは、属性が変更されている状態となっており、
　続いて、ペン型入力デバイスＰをメインコンピュータ２５の壁面型ディスプレイ２５Ｄに接触させると、メインコンピュータ２５は、このドロップされたペン型入力デバイスＰのＩＤ番号を認識し、ネットワーク１０上に設けられた管理テーブル１０ａを参照し、このＩＤ番号に対応した管理情報が登録されているかどうかを確認し、登録されていると判断する場合は、この管理情報、すなわち、ペン型入力デバイスＰの属性データを取得し、そして、メインコンピュータ２５は、必要であれば、この管理情報に示されているコンピュータ、この場合は、小型携帯端末２６に対して、属性データの伝送要求をネットワーク１０を介して行い、
　メインコンピュータ２５は、この属性データに基づきペン型入力デバイスＰの属性を変更し、ペン型入力デバイスＰの操作に応じた描画等の表示を行い、
　以上のように、データ伝送システム１ａでは、ツールパレットＴを用いて属性を変更しなければならない操作上のわずらわしさを解消することができる、
　データ送信／受信／送受信装置、データ伝送システム、データ送信／受信／送受信／伝送方法、及び、データ送信／受信／送受信プログラム格納媒体。」
（２）引用文献２ないし６について
ア　引用文献２について
　引用文献２には、図面とともに、以下の事項が記載されている。
「【要約】
【課題】ネットワークを介して多地点で接続して、互いの手書きや画面を共有する情報共有装置において、書込み送信側の心理的な負担を軽減する。
【解決手段】
書き込み送信側は、
座標情報を書き込み受信側へ送信する
書き込み受信側は、
表示成功の応答情報を書き込み送信側へ返送する
イ　引用文献３について
　引用文献３には、図面とともに、以下の事項が記載されている。
「【０００７】
【発明が解決しようとする課題】ここで、従来、パケットで
データを転送する場合、ＡＣＫ(Acknowledge)/ＮＡＣＫ(Not Acknowledge)によりデータの授受を確認することが一般的である。
ウ　引用文献４について
　引用文献４には、図面とともに、以下の事項が記載されている。
「【００２５】
　なお、図中（例えば図１）の矢印は、データや制御などの流れについて主要な方向を補助的に示すもので、他の流れを否定するものでも、方向の限定を意味するものでもない。例えば
データをある方向に取得する場合、
事後のアクノリッジ（ＡＣＫ：確認応答）が逆方向に送信される。
エ　引用文献５について
　引用文献５には、図面とともに、以下の事項が記載されている。
「【０００２】
【従来の技術】
従来、
ネットワークを介して接続された複数のコンピュータ間で共有されるとともにそれぞれのコンピュータに保存される共有ファイルが、いずれかのコンピュータで最新版に更新された際、それ以外のコンピュータに保存されている共有ファイルを同期して該最新版に更新する
オ　引用文献６について
　引用文献６には、図面とともに、以下の事項が記載されている。
「【０００４】
　また、特許文献１及び特許文献２には、
ネットワークで結合された複数の情報機器間でファイルを共有するシステム
ネットワークにつながるそれぞれの情報機器は、共有するファイルを、それぞれの情報機器が別個に保管し、それらを常に同期化する
【０００５】
　特許文献１及び特許文献２に開示されているシステムにおいては、
ファイルが作成／変更／削除されるたびにファイルの同期化が行われる
…（中略）…
【０００６】
　ネットワークで結合された複数の情報機器間でファイルを一元的に管理するもうひとつの例としては、サーバを利用する方法がある。ここでいうサーバはいわば共有ファイルの管理を専門に行うコンピュータである。すなわち、ネットワーク内で共有しようとするファイルはすべてサーバが保管する。従って、特許文献１や特許文献２に記載の例とは異なり、同一のファイルを各情報機器間で別個に保管する必要も、ファイルを同期化する必要もない。そのため、システム全体としての記憶装置の記憶容量が大きくなることはなく、また、ファイル同期化に伴
うネットワークの負荷も生じない。」
第６　当審拒絶理由通知について
１　理由１（明確性要件）について
（１）本件補正により、本願請求項１、５及び６の記載において、「更新された自機属性情報の複製データに前記他の情報処理装置の他機属性情報を同期させるよう、前記更新された自機属性情報の複製データを前記他の情報処理装置に送信する」と補正されたことにより、同期元（情報処理装置の自機属性情報）と同期先（他の情報処理装置の他機属性情報）の関係が明確となった。
（２）本件補正により、本願請求項１の記載において、「前記送信手段が、前記情報処理装置と前記他の情報処理装置と別の情報処理装置とがこの順にデイジーチェーン接続されている場合、前記受信手段が前記応答情報を受信した後、前記他の情報処理装置に前記別の情報処理装置宛の複製データを送信することにより、前記複製データは、前記他の情報処理装置を通過して、前記別の情報処理装置に送信される」と補正されたことにより、「情報処理装置」が「別の情報処理装置」に「複製データ」をどのように「送信」するのかが明確となった。
（３）本件補正前の請求項５は、本件補正により削除された。
　以上により、当審拒絶理由の理由１は解消した。
２　理由２（進歩性）について
（１）本願発明１について
ア　対比
　本願発明１と引用発明とを対比する。
（ア）引用発明の「小型携帯端末２６」及び「メインコンピュータ２５」はそれぞれ、本願発明１の「情報処理装置」及び「他の情報処理装置」に相当する。
（イ）引用発明は、「壁面型ディスプレイ２５Ｄを有するメインコンピュータ２５と、ディスプレイ２６Ｄを有しユーザが片手で携帯できる程度の小型携帯端末２６とがネットワーク１０を介して接続され」との構成を備えることから、「メインコンピュータ２５」と「小型携帯端末２６」とはネットワーク１０を介して通信可能に接続されているといえる。
　よって、前記（ア）を参酌すると、引用発明は、本願発明１の「他の情報処理装置と通信可能に接続された情報処理装置」との構成を備える。
（ウ）引用発明は、「各コンピュータ２０は、中央処理装置（ＣＰＵ）５１と、メモリ５２と、データ格納媒体５３と、画面表示部５４と、入力されたペン型入力デバイスＰの入力位置を認識するペン位置認識部５５と、ペン状態認識部５６と、入力されたペン型入力デバイスＰのＩＤ番号を認識するペンＩＤ認識部５７と、ネットワーク接続部５８とを備え」及び「メインコンピュータ２５及び小型携帯端末２６は、各コンピュータ２０の内部構成と同様の構成を有し」との構成を備えるから、「小型携帯端末２６」は、「各コンピュータ２０」が備える「入力されたペン型入力デバイスＰの入力位置を認識するペン位置認識部５５」を備えるものである。
　ここで、「ペン型入力デバイスＰ」による入力は、「タッチ入力」といい得るものであり、そうすると、「入力されたペン型入力デバイスＰの入力位置を認識する」ことは、「タッチ入力を検出する」ことに等しい。
　よって、引用発明において、「小型携帯端末２６」が備える「ペン位置認識部５５」は、本願発明１の「タッチ入力を検出する入力検出手段」に相当する。
（エ）引用発明は、「ＣＰＵ５１は、ペン状態認識部５６がペン型入力デバイスＰとディスプレイＤが接触していると認識する場合は、このときにペン型入力デバイスＰがアイコンを選択していればこのアイコンの配色を変えて表示し、このようなペン状態の認識は、例えば、手書き文字入力した際に文字の濃淡等を表せるペン型入力デバイスや、ペン型入力デバイスの入力圧力や距離等が検出できるタブレット等により実現でき」との構成を備えるから、前記（ウ）を参酌すると、「小型携帯端末２６」の「中央処理装置（ＣＰＵ）５１」は、「ペン型入力デバイスＰ」による「タッチ入力に基づいて画像を表示する」機能（アイコンの配色を変えて表示する機能、手書き文字（画像）を表示する機能）を備えている。
　よって、引用発明において、「小型携帯端末２６」の「中央処理装置（ＣＰＵ）５１」は、本願発明１の「前記タッチ入力に基づき画像を表示する表示手段」に相当する。
（オ）引用発明は、「壁面型ディスプレイ２５Ｄには、ペン型入力デバイスＰの属性を変更するツールパレットＴが表示され、ツールパレットＴは、例えば描画入力をする際の線種，図形，線色等のオブジェクトが示されており、ユーザは、ペン型入力デバイスＰによりこのツールパレットＴのオブジェクトをピックし、ペン型入力デバイスＰの属性を変更して、壁面型ディスプレイ２５Ｄに対して描画入力等を行い、小型携帯端末２６のディスプレイ２６Ｄには、上述したツールパレットＴと同様のオブジェクトが表示され、小型携帯端末２６は、このオブジェクトに応じたデータを格納しており、すなわち、ペン型入力デバイスＰの属性データを格納しており」（以下、「構成１」という。）、「まず、ユーザは、ペン型入力デバイスＰをディスプレイ２６Ｄ上のオブジェクトに接触させ一定時間内に持ち上げると、小型携帯端末２６は、このピックしたペン型入力デバイスＰのＩＤ番号を認識し、このＩＤ番号に対応したネットワーク１０上に設けられた管理テーブル１０ａにオブジェクトに対応する管理情報を登録し、この管理情報は、すなわち、ペン型入力デバイスＰの属性データであり、この属性データは、ペン型入力デバイスＰの属性に応じた情報であり、このペン型入力デバイスの属性とは、描画入力する際の線種，図形，線色等であり、この状態において、ペン型入力デバイスＰは、属性が変更されている状態となっており」（以下、「構成２」という。）、「続いて、ペン型入力デバイスＰをメインコンピュータ２５の壁面型ディスプレイ２５Ｄに接触させると、メインコンピュータ２５は、このドロップされたペン型入力デバイスＰのＩＤ番号を認識し、ネットワーク１０上に設けられた管理テーブル１０ａを参照し、このＩＤ番号に対応した管理情報が登録されているかどうかを確認し、登録されていると判断する場合は、この管理情報、すなわち、ペン型入力デバイスＰの属性データを取得し、そして、メインコンピュータ２５は、必要であれば、この管理情報に示されているコンピュータ、この場合は、小型携帯端末２６に対して、属性データの伝送要求をネットワーク１０を介して行い」（以下、「構成３」という。）及び「メインコンピュータ２５は、この属性データに基づきペン型入力デバイスＰの属性を変更し、ペン型入力デバイスＰの操作に応じた描画等の表示を行い」（以下、「構成４」という。）との構成を備える。
　「ペン型入力デバイスＰ」の「属性データ」は、構成２からすると、ネットワーク上の「管理テーブル１０ａ」上で管理され、また、構成１、構成３及び構成４からすると、「小型携帯端末２６」及び「メインコンピュータ２５」のそれぞれにおいても格納されており、「小型携帯端末２６」及び「メインコンピュータ２５」は、自機に格納されている「ペン型入力デバイスＰ」の「属性データ」（線種，図形，線色等）に基づいて描画入力するものと認められる。
　よって、構成１は、ユーザが、「ペン型入力デバイスＰをディスプレイ２６Ｄ上のオブジェクトに接触させ一定時間内に持ち上げる」と、「オブジェクト」に対応する「管理情報」として「ペン型入力デバイスＰ」の「属性データ」を自機に格納し、格納された「属性データ」に基づいて「ペン型入力デバイスＰ」による描画入力とその描画入力に応じた画像（例えば、手書き文字等）を表示するものといえる。
　ここで、「小型携帯端末２６」に格納される「属性データ」は、「自機属性情報」といい得るものであり、また、ここでの「格納」は「設定」と同義である。
　したがって、引用発明における「小型携帯端末２６」は、本願発明１の「前記画像の表示において設定された自機属性情報に基づき前記画像を表示する画像表示処理手段」に相当する手段を備える。
（カ）前記（オ）において、「ペン型入力デバイスＰをディスプレイ２６Ｄ上のオブジェクトに接触させ一定時間内に持ち上げる」と、「オブジェクト」に対応する「管理情報」として「ペン型入力デバイスＰ」の「属性データ」（線種，図形，線色等）を、「自機」に格納する場合に、すでに「属性データ」が格納済みである場合は、格納済みの「属性データ」を「更新」することになることは明らかである。
　よって、「属性データ」が格納済みである場合に「オブジェクト」を「持ち上げる」ことは、「自機属性情報の更新入力」といい得るものである。
　したがって、引用発明における「小型携帯端末２６」は、本願発明１の「前記情報処理装置において前記自機属性情報の更新入力を受け付けた場合、前記自機属性情報を更新する属性情報更新手段」に相当する手段を備える。
（キ）上記（ア）及び（オ）を参酌すると、引用発明において、「メインコンピュータ２５」に格納される「ペン型入力デバイスＰ」の「属性データ」は、本願発明１の「他の情報処理装置の他機属性情報」に相当する。
　また、上記（オ）の構成３によれば、引用発明においては、「ペン型入力デバイスＰをメインコンピュータ２５の壁面型ディスプレイ２５Ｄに接触させる」と「ペン型入力デバイスＰの属性データを取得し、そして、メインコンピュータ２５は、必要であれば、この管理情報に示されているコンピュータ、この場合は、小型携帯端末２６に対して、属性データの伝送要求をネットワーク１０を介して行い」との構成を備えることから、前記（カ）を参酌すると、「小型携帯端末２６」は、「小型携帯端末２６」において更新された「ペン型入力デバイスＰ」の「属性データ」（自機属性情報）の複製データを「メインコンピュータ２５」に送信する送信手段を備えるものといえる。
　よって、引用発明と、本願発明１の「前記自機属性情報を更新することに応じて、更新された自機属性情報の複製データに前記他の情報処理装置の他機属性情報を同期させるよう、前記更新された自機属性情報の複製データを前記他の情報処理装置に送信する送信手段」とは、「前記更新された自機属性情報の複製データを前記他の情報処理装置に送信する送信手段」との構成を備える点において共通する。
イ　一致点、相違点
　したがって、本願発明１と引用発明とは、以下の点において一致ないし相違するといえる。
［一致点］
「　他の情報処理装置と通信可能に接続された情報処理装置であって、
　タッチ入力を検出する入力検出手段と、
　前記タッチ入力に基づき画像を表示する表示手段と、
　前記画像の表示において設定された自機属性情報に基づき前記画像を表示する画像表示処理手段と、
　前記情報処理装置において前記自機属性情報の更新入力を受け付けた場合、前記自機属性情報を更新する属性情報更新手段と、
　前記更新された自機属性情報の複製データを前記他の情報処理装置に送信する送信手段と、を備える、
　ことを特徴とする情報処理装置。」
［相違点］
＜相違点１＞
　「前記更新された自機属性情報の複製データを前記他の情報処理装置に送信する送信手段」に係る「送信」が、本願発明１は、「前記自機属性情報を更新することに応じて、更新された自機属性情報の複製データに前記他の情報処理装置の他機属性情報を同期させるよう」になされるものであるのに対し、引用発明は、「必要であれば、この管理情報に示されているコンピュータ、この場合は、小型携帯端末２６に対して、属性データの伝送要求をネットワーク１０を介して行い」との構成を備えるものの、「伝送要求」が、「前記自機属性情報を更新することに応じて」、かつ、「更新された自機属性情報の複製データに前記他の情報処理装置の他機属性情報を同期させるよう」なされるものではない点。
＜相違点２＞
　本願発明１は、「前記他の情報処理装置から応答情報を受信する受信手段」を備えるのに対し、引用発明においては、当該構成を備えることについて具体的に特定していない点。
＜相違点３＞
　前記＜相違点１＞及び＜相違点２＞に関連して、本願発明１は、「前記送信手段が、前記情報処理装置と前記他の情報処理装置と別の情報処理装置とがこの順にデイジーチェーン接続されている場合、前記受信手段が前記応答情報を受信した後、前記他の情報処理装置に前記別の情報処理装置宛の複製データを送信することにより、前記複製データは、前記他の情報処理装置を通過して、前記別の情報処理装置に送信される」との構成を備えるのに対し、引用発明は、当該構成について具体的に特定していない点。
ウ　相違点についての判断
　事案に鑑みて、上記相違点３について先に検討する。
　引用文献２ないし４に記載されているように、情報処理装置が、他の情報処理装置にデータを送信した場合に、他の情報処理装置から応答情報を受信することは、本願出願時の周知技術であり、また、引用文献５及び６に記載されているように、複数の情報処理装置がネットワークを介して接続されたシステムにおいて、各情報処理装置が共有ファイルを保存している場合に、一の情報処理装置において共有ファイルが更新されると他の情報処理装置が保存している共有ファイルを同期して更新することは、本願出願時の周知技術であるといえる。
　しかしながら、引用文献１ないし６のいずれにも、複数の情報処理装置が「デイジーチェーン接続されている場合」について記載されておらず、また、引用発明における「データ伝送システム１は、ネットワーク１０上に複数のコンピュータが接続され」との接続形態を、「デイジーチェーン接続」に変更する動機付けが、引用文献１には存在しない。また、引用文献２ないし６には、「前記受信手段が前記応答情報を受信した後、前記他の情報処理装置に前記別の情報処理装置宛の複製データを送信することにより、前記複製データは、前記他の情報処理装置を通過して、前記別の情報処理装置に送信される」との構成に対応する事項は記載されていないから、仮に、引用発明の接続形態を「デイジーチェーン接続」に変更し得たとして、そのような変更後の引用発明に、さらに上記各周知技術を適用しても、「前記情報処理装置と前記他の情報処理装置と別の情報処理装置とがこの順にデイジーチェーン接続されている場合」に、「前記受信手段が前記応答情報を受信した後、前記他の情報処理装置に前記別の情報処理装置宛の複製データを送信することにより、前記複製データは、前記他の情報処理装置を通過して、前記別の情報処理装置に送信される」との構成には直ちには至らないし、このような構成を採用することが当業者にとって自明ないし容易であるともいえない。
　また、相違点３に係る本願発明１の構成は、本願出願時における周知技術ともいえない。
　したがって、他の相違点について判断するまでもなく、本願発明１は、当業者であっても引用発明及び引用文献２ないし６に記載された周知技術に基づいて容易に発明をすることができたものであるとはいえない。
（２）本願発明２ないし４について
　本願発明２ないし４も、上記相違点３に係る本願発明１の構成を備えるものであるから、本願発明１と同じ理由により、当業者であっても、引用発明及び引用文献２ないし６に記載された周知技術に基づいて容易に発明をすることができたものであるとはいえない。
（３）本願発明５及び６について
　本願発明５及び６は、本願発明とカテゴリ表現が異なるものであって、上記相違点３に係る本願発明１の構成に対応する構成を備えるものであるから、本願発明１と同じ理由により、当業者であっても、引用発明及び引用文献２ないし６に記載された周知技術に基づいて容易に発明をすることができたものであるとはいえない。
　以上により、当審拒絶理由の理由２は解消した。
第７　原査定についての判断
　本件補正により、本件発明１ないし６は、上記相違点３に係る本願発明１の構成又はこれに対応する構成を備えるものとなった。上記相違点３に係る本願発明１の構成は、原査定における引用文献ＡないしＤ（当審拒絶理由における引用文献１ないし４）には記載されておらず、本願出願時の周知技術でもないので、本願発明１ないし６は、当業者であっても、原査定における引用文献ＡないしＤに基づいて容易に発明をすることができたものではない。
　したがって、原査定を維持することはできない。
第８　むすび
　以上のとおり、原査定の理由によって、本願を拒絶することはできない。
　他に本願を拒絶すべき理由を発見しない。
　よって、結論のとおり審決する。